(57)【要約】      （修正有）【課題】書類等を収納するケースを製造するための１枚のシート形状のファイルケース用台紙を提供する。【解決手段】ファイルケース用台紙１００は、ケースの表面表紙を形成する表面部材１０と、ケースの裏面表紙を形成する裏面部材２０と、ケースの背表紙を形成する側面部材３０と、を有し、表面部材１０は、ケースの表紙となる表紙用シート部１１と、製造時に折り畳んで書類を収納する表紙用ポケット部１２と、製造時に折り畳んだ表紙用ポケット部１２を貼りつけて固定する表紙用フラップ部１３と、を備え、裏面部材２０は、ケースの裏面となる裏面用シート部２１と、製造時に折り畳んで書類を収納する裏面用ポケット部２２と、製造時に折り畳んだ裏面用ポケット部２２を貼りつけて固定する裏面用フラップ部２３と、を備え、側面部材３０は、表面部材１０と裏面部材２０との間に配置される。【選択図】図１
0003228047.tif 000002
【実用新案登録請求の範囲】
【請求項１】
書類を収納するケースを製造するための１枚のシート形状のファイルケース用台紙であって、
前記ケースの表面表紙を形成する表面部材と、前記ケースの裏面表紙を形成する裏面部材と、前記ケースの背表紙を形成する側面部材と、を有し、
前記表面部材は、前記ケースの表紙となる表紙用シート部と、製造時に折り畳んで前記書類を収納する表紙用ポケット部と、製造時に折り畳んだ前記表紙用ポケット部を貼りつけて固定する表紙用フラップ部と、を備え、
前記裏面部材は、前記ケースの裏面となる裏面用シート部と、製造時に折り畳んで前記書類を収納する裏面用ポケット部と、製造時に折り畳んだ前記裏面用ポケット部を貼りつけて固定する裏面用フラップ部と、を備え、
前記側面部材は、前記表面部材と前記裏面部材との間に配置される、
ことを特徴とする、ファイルケース用台紙。
【請求項２】
シート形状の坪量が１２７．９ｇ／ｍ２から３６０．０ｇ／ｍ２の間、または、シート形状の紙厚が０．１ｍｍから０．５ｍｍの間である、
ことを特徴とする、請求項１に記載のファイルケース用台紙。
【請求項３】
請求項１または請求項２のいずれか一項に記載のファイルケース用台紙を折り曲げて製造したファイルケースであって、
前記表紙用フラップ部と前記表紙用ポケット部を折り畳んで、該表紙用ポケット部を該表紙用フラップ部に貼りつけて収納部を形成し、
前記裏面用フラップ部と前記裏面用ポケット部を折り畳んで、該裏面用ポケット部を該裏面用フラップ部に貼りつけて収納部を形成する、
ことを特徴とする、ファイルケース。
【考案の詳細な説明】
【技術分野】
【０００１】
本考案は、書類等を収納するケースを製造するための１枚のシート形状のファイルケース用台紙に関する。本考案は、１枚のシート形状のファイルケース用台紙を用いて製造したファイルケースに関するものであってもよい。
【背景技術】
【０００２】
日常生活やビジネス社会において書類を保管や携帯する機会が増えているが、従来から、書類等を保管等するものとして、厚紙の成形による表表紙、背表紙及び裏表紙からなる本体の背表紙内側に金属製や樹脂製のバインダーが取り付けられたものが知られている。また、生命保険証書、車検証、登録証のような証書や、定款、説明書、契約書等の製本された一定の厚みのある文書類を保持するためのファイル用ケースが知られている。特許文献１では、表裏のプレート状のカバーを折り畳み開閉自在に連接し、上記カバー間にシート状の書類を差し込み状態で保持する袋状のシートホルダーを固着して設け、上記カバーの内面又は表裏のカバー間の内面に折り畳み自在に連設した仕切りプレートの片面をホルダー面とし、該ホルダー面の相対応する両端側に端部を固着して帯状のホルダーベルトを設け、該ベルトと、ホルダー面との間に所定厚みに製本された文書類を収容保持するものにおいて、上記ホルダーベルトの長さを両端の固着部の間隔より長く形成するとともに、非使用状態においてはホルダー面内に納まるようにホルダーベルトの一部に重ね合わせ部を形成してなるファイルケースのブックホルダーに関する技術を開示している。特許文献２では、ファイル本体の背表紙内側に固定される板状の紙製ベースと、前記紙製ベースの一辺から略垂直に立ち上がる第１の紙製綴り板と、前記第１の紙製綴り板に対向して、前記紙製ベースの他辺に、前記紙製ベースとのなす角を変えられるように設けられる第２の紙製綴り板と、前記第１および第２の紙製綴り板のうち一方の紙製綴り板に、他方の紙製綴り板に向かって伸びるように設けられる複数の紙製綴り桿と、前記複数の紙製綴り桿を前記他方の紙製綴り板に掛止する紙製掛止部材とを備えていることを特徴とする、ファイル用紙製バインダーに関する技術を開示している。特許文献３では、少なくとも二つの部分、即ちバインダーリングが設けられた第１部分と、ばらばらの書類の束や、束ねられた書類や、または定期刊行物等を収容する一定寸法の受入れ室を形成した第２部分とから各々構成されていることを特徴とするファイルホルダーに関する技術を開示している。特許文献４では、背部を介して連設された一対の扉部のうちいずれか一方の扉部の内側面に収納部が設けられ、前記背部にはこの背部と前記両扉部との間の一対の境界折り目と平行に延びる所要数の中間折り目が形成され、前記収納部は、前記一方の扉部の小口に沿って設けられた蛇腹状側板及び前記一方の扉部の下端縁に沿って設けられた蛇腹状底板と、二辺が前記蛇腹状側板及び蛇腹状底板の可動端に連設された押さえ板と、からなることを特徴とするファイルケースに関する技術を開示している。
【先行技術文献】
【特許文献】
【０００３】
【特許文献１】登録実用新案公報第３０４０８００号公報
【特許文献２】特開２００５−４７２４８号公報
【特許文献３】特開２００２−２０５４７８号公報
【特許文献４】登録実用新案公報第３０１５５４２号公報
【考案の概要】
【考案が解決しようとする課題】
【０００４】
従来のファイルは、石油由来材料（金属製や樹脂製の部材、溶剤など）を用いるため、石油由来材料をファイル本体から分離して廃棄しなければならず、ファイルを廃棄やリサイクルすることに手間がかかる場合があった。
【０００５】
本考案は、書類等を収納するケースを製造するための１枚のシート形状（紙製の部材）のファイルケース用台紙を提供することを目的とする。また、本考案は、書類等を収納するケースを複数製造するための１枚のシート形状（紙製の部材）のファイルケース用台紙を提供することを目的としてもよい。また、本考案は、１枚のシート形状（紙製の部材）のファイルケース用台紙を用いて製造したファイルケースを提供することを目的としてもよい。
【課題を解決するための手段】
【０００６】
上記課題を解決するために、本考案の一つの実施形態は、書類を収納するケースを製造するための１枚のシート形状のファイルケース用台紙であって、前記ケースの表面表紙を形成する表面部材と、前記ケースの裏面表紙を形成する裏面部材と、前記ケースの背表紙を形成する側面部材と、を有し、前記表面部材は、前記ケースの表紙となる表紙用シート部と、製造時に折り畳んで前記書類を収納する表紙用ポケット部と、製造時に折り畳んだ前記表紙用ポケット部を貼りつけて固定する表紙用フラップ部と、を備え、前記裏面部材は、前記ケースの裏面となる裏面用シート部と、製造時に折り畳んで前記書類を収納する裏面用ポケット部と、製造時に折り畳んだ前記裏面用ポケット部を貼りつけて固定する裏面用フラップ部と、を備え、前記側面部材は、前記表面部材と前記裏面部材との間に配置される、ことを特徴とする、ファイルケース用台紙を提供する。
【０００７】
本考案の他の実施形態は、上記のファイルケース用台紙であって、シート形状の坪量が１２７．９ｇ／ｍ２から３６０．０ｇ／ｍ２の間、または、シート形状の紙厚が０．１ｍｍから０．５ｍｍの間である、ことを特徴とするファイルケース用台紙であってもよい。
【０００８】
本考案の他の実施形態は、上記のいずれか１つのファイルケース用台紙を折り曲げて製造したファイルケースであって、前記表紙用フラップ部と前記表紙用ポケット部を折り畳んで、該表紙用ポケット部を該表紙用フラップ部に貼りつけて収納部を形成し、前記裏面用フラップ部と前記裏面用ポケット部を折り畳んで、該裏面用ポケット部を該裏面用フラップ部に貼りつけて収納部を形成する、ことを特徴とする、ファイルケースであってもよい。
【考案の効果】
【０００９】
本考案に係るファイルケース用台紙およびファイルケースによれば、１枚のシート形状の紙製部材でファイルケースを製造することができる。また、本考案に係るファイルケース用台紙およびファイルケースによれば、１枚のシート形状の紙製部材で複数のファイルケースを製造することができる。また、本考案に係るファイルケース用台紙およびファイルケースによれば、１枚のシート形状の紙製部材でファイルケースを製造することができるので、リング、糊、袋（プラスチック袋）、留め具等の部材を使用せず、石油由来材料を使用しないでファイルケースを製造することができる。また、本考案に係るファイルケース用台紙およびファイルケースによれば、１枚のシート形状の紙製部材でファイルケースを製造することができるので、環境負荷が低く、価格を低減でき、容易に製造することができ、より簡易で軽量である。さらに、本考案に係るファイルケース用台紙およびファイルケースによれば、１枚のシート形状の紙製部材でファイルケースを製造することができ、石油由来部材、溶剤を使用していないのでゴミではなく、リサイクル資源として再利用でき、国連決議のＳＤＧｓ（持続可能な開発目標、国際目標）の取り組みに対応することができ、継続可能な環境の保護保全および循環経済の取り組みに大きく貢献することができる。また、本考案に係るファイルケース用台紙およびファイルケースによれば、１枚のシート形状の紙製部材でファイルケースを製造することができるので、販売促進用の広告媒体としてファイルケースを配布する場合に、表紙表面と裏紙表面と中面表面にはオリジナルのデザインを広告・告知でき、設計変更によって広告面の表現面積を容易に大きくすることもでき、印象的な商品として、宣伝広告効果が高い媒体とすることができる。
【図面の簡単な説明】
【００１０】
【図１】本考案の実施形態に係るファイルケース用台紙の一例を説明する説明図である。
【図２】本考案の実施形態に係るファイルケース用台紙の一例（側面部材がない場合）を説明する説明図である。
【図３】本考案の実施形態に係るファイルケースの一例を説明する説明図である。
【図４】本考案の実施形態に係るファイルケース用台紙を用いたファイルケースの製造方法の一例を説明するフローチャート図である。
【図５】本考案の実施形態に係るファイルケース用台紙の例を説明する説明図である。
【考案を実施するための形態】
【００１１】
実施形態に係るファイルケース用台紙、ファイルケースの製造方法およびファイルケースの例を用いて、本考案を説明する。なお、本考案は、以後に説明するファイルケース用台紙およびファイルケース以外でも、１枚のシート形状の部材からなる紙等を収納・保持するものであれば、いずれのものにも用いることができる。なお、ファイルケース用台紙の素材は、紙、厚紙、アート紙，コート紙，マット紙，上質紙，中質紙およびその他折り曲げ可能な紙類を用いることができる。また、ファイルケース用台紙の素材は、ファイルの用途に応じて、サンカード・コートボール・レザック等の特殊紙を使用してもよい。ファイルケース用台紙の色は、例えば使用者（利用者）の趣味趣向に合わせた柄のものや広告、日付けを記載したものであってもよい。
【００１２】
下記に示す順序で、本考案を説明する。
１．ファイルケース用台紙の構成
２．ファイルケースの製造方法
３．ファイルケースの構成
【００１３】
（１．ファイルケース用台紙の構成）
図１乃至図３を用いて、本考案の実施形態に係るファイルケース用台紙の構成を説明する。ここで、図１は、本考案の実施形態に係るファイルケース用台紙１００の一例を説明する説明図である。図２は、本考案の実施形態に係るファイルケース用台紙１００Ｂの一例（背表紙がない場合）を説明する説明図である。図３（ａ）は、本考案の実施形態に係るファイルケース１００Ｆの一例（台紙から切り取った状態）を説明する説明図である。図３（ｂ）は、本考案の実施形態に係るファイルケース１００Ｆの製造時の一例を説明する説明図である。図３（ｃ）は、本考案の実施形態に係るファイルケース１００Ｆの製造時の表紙用フラップ部１３Ｂの一例を説明する拡大図である。図３（ｄ）は、本考案の実施形態に係るファイルケース１００Ｆの一例（閉じた状態）を説明する説明図である。なお、図１等に示すファイルケース用台紙の構成等は一例であり、本考案は図１等に示すファイルケース用台紙等に限定されるものではない。
【００１４】
図１に示すように、本考案に係るファイルケース用台紙１００は、書類を収納するケースを製造するための１枚のシート形状のファイルケース用台紙（紙、厚紙、アート紙，コート紙，マット紙，上質紙，中質紙およびその他折り曲げ可能な紙類）である。ここで、シート形状の坪量は、とくに限定されないが、１２７．９ｇ／ｍ２から３６０．０ｇ／ｍ２の間であることが好ましい。シート形状の紙厚は、とくに限定されないが、０．１ｍｍから０．５ｍｍの間であることが好ましい。本考案に係るファイルケース用台紙１００は、本実施形態では、２つのファイルケースを製造するために、ケースの表面表紙を形成する表面部材１０を２つと、ケースの裏面表紙を形成する裏面部材２０を２つと、ケースの背表紙を形成する側面部材３０を２つと、を有する。本考案に係るファイルケース用台紙１００は、表面部材１０を側面部材３０の一方の側面に配置し、裏面部材２０を側面部材３０の他方の側面に配置している。本考案に係るファイルケース用台紙１００を用いて製造したファイルケース（たとえば後述する図３の１００Ｆ）は、表面表紙を開いて、表面表紙と裏面表紙の間に書類等を収納・保持することができる。なお、本考案に係るファイルケース用台紙１００を用いて製造するファイルケースは、ファイルホルダー、書類ケース、書類収納ファイル、書類収納ホルダー、文具収納用アルバム，文具収納用ファイル，文具収納ポケット付きノート，ノート用カバー，ノートホルダーなどであってもよい。また、本考案に係るファイルケース用台紙は、３つ以上のファイルケースを製造するために、ケースの表面表紙を形成する表面部材を３つ以上と、ケースの裏面表紙を形成する裏面部材を３つ以上と、ケースの背表紙を形成する側面部材を３つ以上と、を有するものであってもよい。
【００１５】
下記にて、各構成を具体的に説明する。
【００１６】
表面部材１０は、図１に示すように、本実施形態では、ケースの表紙（表面表紙）となる表紙用シート部１１と、製造時に折り畳んで書類を収納する表紙用ポケット部（収納部材など）１２と、製造時に折り畳んだ表紙用ポケット部１２を貼りつけて固定する表紙用フラップ部（固定部材など）１３と、を備える。表紙用シート部１１の一の側面は、側面部材３０の一の側面に接続される。表紙用フラップ部１３は、表紙用シート部１１の他の側面に配置される。表紙用ポケット部１２は、表紙用シート部１１の下方の側面に配置される。なお、本考案に係る表面部材１０（表紙用シート部１１、表紙用ポケット部１２、表紙用フラップ部１３）の形状および大きさは、特に限定されない。本考案に係る表面部材１０の形状および大きさは、使用時に収納・保持する書類に応じて、設計、実験、計算などで予め定められる形状および大きさとすることができる。また、表紙用フラップ部１３は、表紙用ポケット部１２の側面に配置してもよい。表紙用ポケット部１２および表紙用フラップ部１３は、収納物の量、大きさによって、ポケット（収納部）にマチを設けることも可能である。
【００１７】
裏面部材２０は、図１に示すように、本実施形態では、ケースの裏面（裏面表紙）となる裏面用シート部２１と、製造時に折り畳んで書類を収納する裏面用ポケット部（収納部材など）２２と、製造時に折り畳んだ裏面用ポケット部２２を貼りつけて固定する裏面用フラップ部（固定部材など）２３と、を備える。裏面用シート部２１の一の側面は、側面部材３０の他の側面に接続される。裏面用フラップ部２３は、裏面用シート部２１の他の側面に配置される。裏面用ポケット部２２は、裏面用シート部２１の下方の側面に配置される。なお、本考案に係る裏面部材２０（裏面用シート部２１、裏面用ポケット部２２、裏面用フラップ部２３）の形状および大きさは、特に限定されない。本考案に係る裏面部材２０の形状および大きさは、使用時に収納・保持する書類に応じて、設計、実験、計算などで予め定められる形状および大きさとすることができる。また、裏面用フラップ部２３は、裏面用ポケット部２２の側面に配置してもよい。裏面用ポケット部２２および裏面用フラップ部２３は、収納物の量、大きさによって、ポケット（収納部）にマチを設けることも可能である。
【００１８】
側面部材３０は、図１に示すように、使用時にケースの背表紙を形成する部材である。本考案に係るファイルケース用台紙１００は、側面部材３０の大きさ（幅）を変更することによって、ファイルケースの厚さ（収納できる書類の量）を容易に調整することができる。また、図２に示すように、本考案に係るファイルケース用台紙およびファイルケースは、側面部材に代えて、折り曲げ線部１３Ｂを配置してもよい。これにより、本考案に係るファイルケースは、背表紙のないスリムなケースを製造することができる。なお、本考案に係る側面部材３０の形状および大きさは、特に限定されない。本考案に係る側面部材３０の形状および大きさは、使用時に収納・保持する書類に応じて、設計、実験、計算などで予め定められる形状および大きさとすることができる。
【００１９】
図３（ａ）に示すように、本考案に係るファイルケース用台紙は、１つのファイルケースを製造するための部材を切り取り（切り離し）することができる。図３（ｂ）に示すように、本考案に係るファイルケース用台紙は、切り取りした部材を折り曲げて（折り畳んで）ファイルケースを製造することができる。図３（ｃ）に示すように、具体的には、表紙用フラップ部１３Ｂと表紙用ポケット部１２Ｂを折り畳んで、表紙用ポケット部１２Ｂを表紙用フラップ部１３Ｂに貼りつけて収納部（書類を収納することができるポケット）を形成する。また、裏面用フラップ部と裏面用ポケット部も同様に折り畳んで収納部（書類を収納することができるポケット）を形成する。ここで、本考案に係るファイルケース用台紙は、石油由来材料でない糊または接着剤を使用することで、環境負荷を低減し、リサイクル可能なファイルケースを製造することができる。
【００２０】
次に、図３（ｄ）に示すように、表面部材と側面部材とを略９０度に折り曲げ、側面部材と裏面部材とを略９０度に折り曲げて、ファイルケースを製造することができる。
【００２１】
本考案に係るファイルケース用台紙は、表紙用シート部と表紙用ポケット部の間で書類を挟んで、たとえばコピー用紙や冊子などをファイルすることができるファイルケースを製造することができる。また、本考案に係るファイルケース用台紙は、裏面用シート部と裏面用ポケット部の間で書類を挟んで、たとえばコピー用紙や冊子などをファイルすることができるファイルケースを製造することができる。すなわち、本考案に係るファイルケース用台紙は、２つの収納部（Ｗポケット）のファイルケース（たとえばタトウファイル）を製造することができる。
【００２２】
本考案に係るファイルケース用台紙は、図５に示すように、Ａ４書類を収納するファイルの場合、３１０ｍｍ×２３０ｍｍの大きさのファイルケースでポケット幅７６ｍｍが経済的に好ましいサイズである。この場合、四六判の半裁に２面付け（２つのファイルケース）として製造（印刷）加工ができる。また、Ｌ版半裁の２面付け（２つのファイルケース）としては、３１０ｍｍ×２３０ｍｍの大きさファイルケースでポケット幅８１ｍｍが経済的に好ましいサイズである。なお、本考案に係るファイルケース用台紙は、収納する量に応じて、ポケットの大きさを変えることができ、用紙版の種類に応じて経済的に好ましいサイズを設計してもよい。
【００２３】
以上のとおり、本考案に係るファイルケース用台紙によれば、１枚のシート形状の紙製部材でファイルケースを製造することができる。本考案に係るファイルケース用台紙によれば、１枚のシート形状の紙製部材で複数のファイルケースを製造することができる。また、本考案に係るファイルケース用台紙を用いて製造したファイルケースによれば、オリジナルの製造方法で製造したものであるため、使用者の興味を引き付け、販売促進品やノベルティ商品として利用することができる。
【００２４】
（２．ファイルケースの製造方法）
図４を用いて、ファイルケース用台紙１００（図１）を用いたファイルケース１００Ｆ（図３）の製造方法を説明する。ここで、図４は、本考案の実施形態に係るファイルケース用台紙を用いたファイルケースの製造方法の一例を説明するフローチャート図である。なお、図４に示すファイルケースの製造方法は一例であり、本考案は図４に示すファイルケースの製造方法に限定されるものではない。また、本考案に係るファイルケースの製造方法は、前述の（１．ファイルケース用台紙の構成）のファイルケース用台紙を用いるため、異なる部分を主に説明する。
【００２５】
図４に示すように、ステップＳ４０１において、ファイルケースの製造を開始する。その後、ステップＳ４０２に進む。
【００２６】
次に、ステップＳ４０２において、先ず、ファイルケース用台紙（たとえば図１の１００）を作成する（台紙作成ステップ）。ファイルケース用台紙は、例えば１枚のシート部材（たとえば四六判の連量１１０ｋｇから３１０ｋｇの紙）から型抜きまたは切断で所望の形状に切り出すことができる。その後、ステップＳ４０３に進む。
【００２７】
次いで、ステップＳ４０３において、表面部材（図１の１０）を用いて、（１）表紙用フラップ部を折り畳み、（２）表紙用ポケット部を表紙用フラップ部の表面上に折り畳み、（３）表紙用ポケット部と表紙用フラップ部と貼りつけて収納部を形成し、（４）表面表紙を形成する（表面表紙形成ステップ）。その後、ステップＳ４０４に進む。
【００２８】
ステップＳ４０４において、裏面部材（図１の２０）を用いて、（１）裏面用フラップ部を折り畳み、（２）裏面用ポケット部を裏面用フラップ部の表面上に折り畳み、（３）裏面用ポケット部と裏面用フラップ部と貼りつけて収納部を形成し、（４）裏面表紙を形成する（裏面表紙形成ステップ）。その後、ステップＳ４０５に進む。
【００２９】
ステップＳ４０５において、表面表紙形成ステップで形成した表面表紙と側面部材（図１の３０）とを略９０度に折り曲げ、側面部材と裏面表紙形成ステップで形成した裏面表紙とを略９０度に折り曲げて（コの字に折畳み）、ケースの背表紙を形成する（背表紙形成ステップ）。その後、図中の「ＥＮＤ」に進み、動作を終了する。
【００３０】
なお、本考案の実施形態に係るファイルケース用台紙から２つ目のファイルケースの製造するために、上記のステップＳ４０２からステップＳ４０５を繰り返してもよい。
【００３１】
以上のとおり、本考案に係るファイルケースの製造方法は、１枚のシート形状の部材からファイルケースを製造することができる。また、本考案に係るファイルケースの製造方法によれば、前述の（１．ファイルケース用台紙の構成）と同様の効果を得ることができる。また、本考案に係るファイルケースの製造方法によれば、オリジナルの製造方法で製造したものであるため、使用者の興味を引き付け、広告・宣伝効果が高い製品（販売促進品、ノベルティ商品など）とすることができる。
【００３２】
（３．ファイルケースの構成）
図３を用いて、本考案の実施形態に係るファイルケース１００Ｆを説明する。ここで、図３は、本考案の実施形態に係るファイルケース用台紙（図１）を用いて製造したファイルケース１００Ｆの一例を示す説明図である。なお、図３に示すファイルケース１００Ｆは一例であり、本考案は図３に示すファイルケース１００Ｆに限定されるものではない。
【００３３】
図３に示すように、本考案に係るファイルケース１００Ｆは、前述の（１．ファイルケース用台紙の構成）のファイルケース用台紙１００を前述の（２．ファイルケースの製造方法）で製造したものである。これにより、本考案に係るファイルケース１００Ｆは、書類を収納して持ち運びすることができ、必要なときに書類を簡便に使用することができる。また、本考案に係るファイルケース１００Ｆによれば、前述の（１．ファイルケース用台紙の構成）および前述の（２．ファイルケースの製造方法）と同様の効果を得ることができる。
【００３４】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００３５】
１００，１００Ｂ：  ファイルケース用台紙（厚紙，印刷物，紙類など）
１００Ｆ：  ファイルケース（ファイルホルダー、書類ケース、書類収納ファイル、書類収納ホルダー、文具収納用アルバム，文具収納用ファイル，文具収納ポケット付きノート，ノート用カバー，ノートホルダーなど）
１０  ：  表面部材
１１  ：  表紙用シート部
１２，１２Ｂ：  表紙用ポケット部（収納部材）
１３，１３Ｂ：  表紙用フラップ部（固定部材）
２０  ：  裏面部材
２１  ：  裏面用シート部
２２  ：  裏面用ポケット部（収納部材）
２３  ：  裏面用フラップ部（固定部材）
３０  ：  側面部材
３０Ｂ：  折り曲げ線部
【図１】
0003228047.tif 000003
【図２】
0003228047.tif 000004
【図３】
0003228047.tif 000005
【図４】
0003228047.tif 000006
【図５】
0003228047.tif 000007